(57)【要約】 【課題】転写具の使用状況に応じてレンズを適切な位置に移動させることができない点、及びレンズを適切な位置で維持して転写具を使用することができない点を解消する。【解決手段】カバー５にレンズ４を設けて、例えば筐体２の上面に突起２Ａを形成し、カバー５のレンズ４を設けた側と反対の端部に凹部５Ａを設け、該凹部５Ａの両側壁の対向する内壁を該突起２Ａの幅より若干狭くした。【効果】レンズ４を設けたカバー５は移動できると共にその移動した位置で維持するようにしているから、被転写体の転写位置を起点として目線までの直線上にレンズ４を位置させることができ、また、レンズ４の角度を変更させた状態を維持して転写具１を使用することができる。【選択図】図１
2007176019.tif 000002
【特許請求の範囲】
【請求項１】
転写媒体を被転写体に転写する転写部を備えた転写具において、前記転写部を使用していないときには該転写部を保護すると共に使用時には該転写部を露出させるカバーと、このカバーに設けられたレンズとを備え、前記カバーが、前記転写部を露出させた際に被転写体の転写位置を起点とした角度を変更でき、かつその状態を維持できることを特徴とする転写具。
【発明の詳細な説明】
【技術分野】
【０００１】
本発明は、レンズを設けたカバーが、被転写体の転写位置を起点とした適切な角度にレンズを位置させることができ、かつその状態を維持できる転写具に関する。
【背景技術】
【０００２】
転写媒体を紙などの被転写体に転写する転写具が普及している。この転写具は、被転写体に転写媒体を転写して修正個所を修正する白色の、あるいは、被転写体と貼着体とを貼着する粘着性の、転写媒体を用いる。転写具は、転写媒体を塗布した基材を筐体内から送り出して搬送を促すと共に、被転写体に転写媒体を転写し、その後の基材のみを筐体内へ搬送するための転写部を備えている。
【０００３】
上記構成の転写具は、筐体を被転写体上に（転写媒体や基材を介した）転写部を押しつけた状態で移動させて、転写媒体を目的とする該被転写体上に転写するが、転写部は常に被転写体の目的とする部位に存在するから、該目的部位が視認しにくくなる。
【０００４】
従来、転写部位を拡大するレンズを有した例えば特許文献１〜３が提案されている。
【特許文献１】特開平１０−２６４５９２号公報
【特許文献２】実用新案登録第３０８６５４９号公報
【特許文献３】実用新案登録第３１０６２９４号公報
【０００５】
特許文献１は、レンズが筐体における転写部付近に固定的に設けられている。特許文献１においてレンズを使用するには、被転写体と平行となるように筐体を転写部に対して回動させる。
【０００６】
特許文献２は、レンズが筐体における転写媒体を送り出す内部機構が存在する部分に設けられている。特許文献２においてレンズを使用するには、筐体を分解して転写具としてではなく筐体をルーペとする。
【０００７】
特許文献３は、転写部を覆う開閉自在のカバーにレンズを設けている。特許文献３においてレンズを使用するには、該カバーを完全に開けた状態とする。
【発明の開示】
【発明が解決しようとする課題】
【０００８】
しかしながら、特許文献１〜３はそれぞれ以下の問題がある。
特許文献１は、レンズが筐体に固定的に設けられているから、被転写体と平行になるように筐体を転写部に対して回動させたときにのみレンズを有効に用いることができ、それ以外の場合は使用時に何ら機能しないという問題がある。
【０００９】
特許文献２は、転写具として使用する際にはレンズが筐体内の内部機構を拡大しており、使用時に転写部位を拡大することができないという問題がある。また、特許文献２におけるレンズにより転写部位を拡大視しようとすると、筐体を分解しなければならず、筐体を分解してしまうともはや転写具として使用することができないという問題がある。
【００１０】
特許文献３は、カバーが開ききった状態でしかレンズを安定させることができないから、転写具の使用状況に応じてレンズを適切な位置に移動させて使用することができないという問題がある。
【００１１】
本発明が解決しようとする問題点は、転写具の使用状況に応じてレンズを適切な位置に移動させることができない点、及びレンズを適切な位置で維持して転写具を使用することができない点、である。
【課題を解決するための手段】
【００１２】
本発明の転写具は、上記問題点を解決するために、転写部を使用していないときには該転写部を保護すると共に使用時には該転写部を露出させ、かつ転写部を露出させた際には被転写体の転写位置を起点とした角度を変更でき、かつその状態を維持できるカバーにレンズを設けたのである。
【発明の効果】
【００１３】
本発明に係る転写具は、転写部を露出させて使用する際において、カバー、すなわちレンズを転写位置を起点とした角度に位置させてその状態を維持できるから、使用の際に実際の目線と被転写体上の転写位置との間の直線上に確実にレンズを介在させることができる。したがって、転写具の使用状況に応じて、幅広くかつ有効にレンズを機能させることができる。
【００１４】
また、本発明に係る転写具は、レンズをカバーや筐体とは別に備えるのではなく、カバーの一部として設けているので、転写部を使用する際に不要となるカバーがレンズの機能を果たし、かつ転写部を使用しない際に不要となるレンズがカバーの機能を果たすといったように相互の機能を阻害することなく、レンズとカバーを互いに有効に機能させることができる。
【発明を実施するための最良の形態】
【００１５】
本発明は、以下の図１〜図１０に示す形態により実施可能である。なお、図１〜図１０では、転写具１は、共通して次の構成とされ、以下、特に本発明の特徴とされる部分を除いては図示及び参照番号並びに説明を省略することとする。
【００１６】
転写具１は、転写媒体を塗布した基材を巻き取った送出軸部、この送出軸部から送り出される基材を巻き取る巻取軸部を筐体２内に備えている。筐体２には、開口が設けられ、この開口から転写部３が突出している。
【００１７】
転写部３は、送出軸部と巻取軸部との間の基材の搬送経路途中に設けられ、該基材はその先端部に架けられている。なお、本例における転写部３は、例えば舌状のものを採用したが、転写部３はローラー状のものでも構わない。
【００１８】
転写具１は、筐体２を手に持って転写部３を被転写体に押しつけて移動させることで、送出軸部から送り出される基材に塗布された転写媒体が被転写体上に転写され、転写後の基材が巻取軸部に巻き取られる。
【００１９】
本発明の転写具１の特徴は、レンズ４を備えたカバー５が転写部３を覆うように筐体２に設けられ、該カバー５が、転写部３を露出させた際に被転写体の転写位置を起点としたレンズ４の角度を変更するために移動でき、かつその状態を維持できるよう構成した点となる。この具体的構成例について以下に詳述する。
【００２０】
（第１実施例）
図１に示す第１実施例は、次のように構成される。カバー５は、閉じた状態で、基材の巻取経路及び転写部３の上面並びに先端部を覆うように、（筐体２側の）一方端から（転写部３側の）他方端に向かう途中から転写部３側の下面へと円弧状に折れ曲がった形状とされている。
【００２１】
カバー５は、少なくとも未使用時に転写部３の先端部を覆う形状とすればよい。この理由は、未使用の転写媒体が転写部３の先端に常に露出していることから、不必要にその先端の転写媒体露出部分が目標とする被転写体以外に転写され、汚損したり転写媒体自体の効力が喪失してしまう可能性があるからである。
【００２２】
したがって、未使用時に少なくとも転写部３の先端部をカバー５で覆うようにすれば、転写部３の先端において露出した転写媒体が目標とする被転写体以外に接触することを防止できる。
【００２３】
また、カバー５は、前記円弧状に折れ曲がった部位に側壁（参照番号無）が形成され、該カバー５を閉じた状態で、転写部５の側面を覆う構成としている。カバー５は、閉じた状態における転写部５の上面を覆う位置が表裏貫通しており、ここにレンズ４が設けられている。
【００２４】
筐体２の上面には突起２Ａが設けられ、この突起２Ａからは左右（基材搬送方向に対して直交方向、以下同じ）にピン２ａ，２ａが突出している。カバー５の他方端側、すなわちレンズ４が設けられた側と反対側には、突起２Ａを狭み込むように凹部５Ａが形成されている。
【００２５】
この凹部５Ａの対向する両側壁の内壁間の幅は、突起２Ａの幅より若干だけ狭くされており、また、この凹部５Ａの両側壁面にはピン２ａが挿入される孔５ａが対向状に形成されている。すなわち、カバー５は、図１（ｂ）に示すように、凹部５Ａが突起２Ａの左右をかしめたように狭持しているから、ピン２ａを中心に開閉させた位置を維持することができるのである。
【００２６】
第１実施例の転写具１は、図１（ａ）（ｂ）に示すカバー５の閉状態から使用するときには、カバー５のレンズ４を設けた一方端側をピン２ａを中心として図１（ｃ）に示すように回動させて、転写部位を起点として目線までを結ぶ直線上の間にレンズ４が位置するようにカバー５の角度を調整する。このとき、第１実施例の転写具１は、カバー５の凹部５Ａが突起２Ａをかしめるように狭持しているから、レンズ４を位置させた箇所で該カバー５の開閉位置を維持した状態にできる。
【００２７】
（第２実施例）
図２及び図３に示す第２実施例は、次の構成とされる。なお、以下、第１実施例と同じ部材には同じ参照番号を付し、説明は省略する。カバー５は、他方端側、すなわちレンズ４を設けた側とは反対端側に、図３（ａ）（ｂ）に示すように、左右に突出したピン５Ｂ，５Ｂと、ピン５Ｂ，５Ｂの近傍に形成された係合部５ｂ，５ｂと、を有している。
【００２８】
また、筐体２は、上面において、カバー５の他方端側が挿入可能な間隔を有して円盤状の調整板２Ｂ，２Ｂが、互いの面を基材搬送方向に対して直交する方向に対向させて設けられている（図２（ｂ）図３（ｃ）参照）。調整板２Ｂは、その面の中心に孔２ｂが形成され、この孔２ｂの外周部に係合部５ｂが係合する複数の係合孔２ｃが等角度で形成されている。
【００２９】
第２実施例の転写具１は、図２（ｂ）に示すように、カバー５の他方端側が調整板２Ｂ，２Ｂ間に挿入され、カバー５のピン５Ｂが調整板２Ｂの孔２ｂに挿通され、カバー５の係合部５ｂが調整板２Ｂの係合孔２ｃに係合した状態とされる。
【００３０】
カバー５は、ピン５Ｂを中心にカバー５のレンズ４を設けた一方端側を回動させて、転写部位を起点として目線までを結ぶ直線上の間にレンズ４が位置するようにカバー５の角度を調整する。このとき、係合部５ｂが係合孔２ｃに係合するから、レンズ４を位置させた箇所で該カバー５の開閉位置を維持した状態にできる。
【００３１】
（第３実施例）
図４及び図５に示す第３実施例は、次の構成とされる。カバー５は、閉じた状態で、転写部３の先端部と送出経路を覆うように基板５Ｃを有している。このようにカバー５を構成することで、未使用時に未転写の転写媒体を覆うことができるから、転写媒体にごみや埃が付着して転写媒体の転写性が低下するといった不具合を防ぐことができる。
【００３２】
基板５Ｃの一方面側には、該一方面から直交状に立設され、転写部３の先端部における側壁の各々の外側に位置するカバー板５ｃ，５ｃが形成されている。図４（ａ）の転写部３を上面方向から見た図５（ａ）に示すように、カバー板５ｃ，５ｃは、互いの間隔が転写部３の先端部の両側壁の外側間の幅より若干だけ狭くなっており、互いに対向する面側には孔５ｄ，５ｄが形成されている。
【００３３】
また、図４（ｄ）の転写部３を上面方向から見た図５（ｂ）に示すように、カバー５の基板５における他方面側は、表裏を貫通する孔が形成されており、ここにレンズ４が設けられている。
【００３４】
一方、転写部３は、先端部における側壁に、左右に突出したピン３ａ，３ａが形成されており、このピン３ａ，３ａが基板５Ｃのカバー板５ｃにおける孔５ｄに挿入される。そして、転写部３の先端部における両側壁の外側は、カバー板５ｃ，５ｃによってかしめたように狭持されることになる。
【００３５】
第３実施例の転写具１は、カバー５により転写部３における基材送出経路及び下面が覆われた状態（図４（ａ））から、ピン３ａを中心に基板５Ｃのレンズ４が設けられた側を回転させ（図４（ｂ）（ｃ））、図４（ｄ）に示すようにレンズ４を転写部３の使用位置の邪魔とならない位置まで回転させる。
【００３６】
図４（ｃ）から図４（ｄ）に至るまでに、転写部位を起点として目線までを結ぶ直線上の間にレンズ４が位置するようにカバー５の角度を調整する。そして、カバー５は、転写部３の両側壁の外側をカバー板５ｃでかしめるように狭持しているから、レンズ４を位置させた箇所で該カバー５の開閉位置を維持した状態にできる。
【００３７】
なお、第３実施例は転写部３にピン３ａ，３ａを設けたが、このピン３ａ，３ａを筐体２の両側面に設けて、これに対応するようにカバー５ｃ，５ｃ及び孔５ｄを形成するようにしてもよい。
【００３８】
（第４実施例）
上記した第１〜第３実施例は、レンズ４を有したカバー５が開閉方向のみ回動して、転写位置を起点としたレンズ４の角度が変更でき、かつその位置を維持する構成であったが、以下の第４及び第５実施例では、カバー５の開閉方向と直交する方向にも回動する構成を示す。
【００３９】
図６及び図７に示す第４実施例は次の構成とされる。カバー５は、図７（ｂ）に示すように、レンズ４を設けた側とは反対の端部に、第１実施例と同様に凹部５Ａと孔５ａが形成されている。
【００４０】
カバー５の孔５ａには、図７（ｃ）に示すように、角度調整部材６における段付ピン６Ａの両端に形成された小径部６ａ，６ａが挿入される。ここで、カバー５における凹部５Ａは、その両側壁の対向する内壁間の幅が段付ピン６Ａの中央部に形成された大径部６ｂの幅よりも若干狭くされている。よって、大径部６ｂは、カバー５の凹部５Ａによりかしめた状態で狭持されていることとなる。
【００４１】
角度調整部材６は、段付ピン６Ａにおける大径部６ｂの中央部からピン６Ｂの中央部が連続部６Ｃを介して設けられている。ピン６Ｂは、段付ピン６Ａの軸と直交するように設けられている。
【００４２】
一方、筐体２は、図７（ａ）に示すように、該筐体の外周に溝状の係合周面２Ｃが形成されている。この係合周面２Ｃにおける対向する壁面には、互いに対向状に係合孔２ｄが等間隔で複数形成されている。この係合孔２ｄに、ピン６Ｂが嵌入する。
【００４３】
第４実施例の転写具１は、図６（ａ）に示すように、カバー５を角度調整部材６の段付ピン６Ａにおける小径部６ａを中心にレンズ４を設けた側を回動させて、カバー５の開閉と共にレンズ４の角度調整を行う。
【００４４】
さらに、第４実施例の転写具１は、図６（ｂ）に示すように、角度調整部材６のピン６Ｂを、該角度調整部材６及びカバー５と共に、該ピン６Ｂの係合孔２ｄに対する嵌入位置を変えるべく移動させることで、カバー５の開閉方向と直交する方向にカバー５を回動させることができる。
【００４５】
第４実施例の転写具１は、転写部位を起点として目線までを結ぶ直線上の間にレンズ４が位置するように、カバー５を該カバー５の開閉方向に回動させてレンズ４の角度を調整したときには、凹部５Ａが段付ピン６ａの大径部６ｂをかしめているから、レンズ４を位置させた箇所で該カバー５の開閉位置を維持した状態にできる。
【００４６】
また、第４実施例の転写具１は、転写部位を起点として目線までを結ぶ直線上の間にレンズ４が位置するように、カバー５の開閉方向と直交する方向に該カバー５を回動させてレンズ４の角度を調整したときには、ピン６Ｂが係合孔２ｄに嵌入しているから、レンズ４を位置させた箇所で該カバー５の位置を維持した状態にできる。
【００４７】
なお、第４実施例の係合周面２Ｃは、上記では筐体２の両側面と上面に形成したが、筐体２の下面を含む全周に形成し、これに対応して係合孔２ｄを形成してもよい。こうすれば、未使用時に、カバー５により転写部３の先端部と送出経路を覆うことが可能となる。
【００４８】
（第５実施例）
図８及び図９に示す第５実施例は次の構成とされる。カバー５は、図８（ａ）（ｂ）に示すように、レンズ４を設けた側と反対の端部に凹部５Ａ及び孔５ａが形成されている。筐体２は、図８（ａ）（ｃ）に示すように、係合周面２Ｃが筐体２の全周に亘り形成されているが、第５実施例では係合周面２Ｃに係合孔２ｄが形成されていない。また、第４実施例の係合周面２Ｃは円形でなくてもよいが、第５実施例の係合周面２Ｃは円形である。
【００４９】
カバー５の凹部５Ａには、角度調整部材６における挿入部６Ｄが挿入される。角度調整部材６の挿入部６Ｄにおける左右方向の端面には、各々ピン６ｃ，６ｃが形成されている。ここで、カバー５における凹部５Ａは、その両側壁の対向する内壁間の幅が挿入部６Ｄの幅よりも若干狭くされている。よって、挿入部６Ｄは、カバー５の凹部５Ａによりかしめた状態で狭持されていることとなる。
【００５０】
一方、角度調整部材６は、挿入部６Ｄにおけるピン６ｃが形成された端面を残して、左右方向に円弧状の回動部６Ｅが連続的に形成されている。この回動部６Ｅは、一部切り欠かれた状態の円環状とされ、係合周面２Ｃに嵌る。つまり、第５実施例の場合、角度調整部材６の回動部６Ｅを係合周面２Ｃ上で移動させてカバー５を開閉方向と直交する方向に回動させるようにしている。
【００５１】
第５実施例の転写具１は、図９（ａ）〜（ｃ）に示すように、転写部位を起点として目線までを結ぶ直線上の間にレンズ４が位置するように、カバー５の開閉方向と直交する方向に該カバー５を回動させてレンズ４の角度を調整したときに、回動部６Ｅと係合周面２Ｃとの摩擦によって、レンズ４を位置させた箇所で該カバー５の位置を維持した状態にできる。
【００５２】
また、第５実施例の転写具１は、カバー５の閉状態から図９（ａ）の状態に至るまでにおいて、転写部位を起点として目線までを結ぶ直線上の間にレンズ４が位置するように、カバー５を該カバー５の開閉方向に回動させてレンズ４の角度を調整したときには、凹部５Ａが挿入部６Ｄをかしめているから、レンズ４を位置させた箇所で該カバー５の開閉位置を維持した状態にできる。
【００５３】
なお、第５実施例は、カバー５が筐体５の上面、両側面、下面の全周囲を移動できるので、未使用時に、カバー５により転写部３の先端部と送出経路を覆うことが可能となる。
【００５４】
（第６実施例）
さらに、本発明の転写具１は、上記した第１〜第５実施例において、図１０のように構成した場合は、さらに細かくレンズ４の角度の調整が行え、かつその状態を維持させることができる。例えば第１実施例を参照して説明すると、突起２Ａに、カバー５における凹部５Ａと同じような凹部２Ｄを形成し、該凹部２Ｄの両側壁に孔２ｅを形成する。
【００５５】
カバー５の凹部５Ａと突起２Ａの凹部２Ｄとの間には、例えば矩形状でその両端部の左右の側壁にそれぞれピン６ｃが形成された角度調整部材６を、各々の凹部５Ａ，２Ｄの対向する両側壁間に挿入する。角度調整部材６のピン６ｃは、各々の凹部５Ａの孔５ａ及び２Ｄの孔２ｅに挿入される。
【００５６】
また、各々の凹部５Ａ，２Ｄの対向する両側壁の内壁間の幅は、角度調整部材６の幅よりも若干狭くされている。つまり、角度調整部材６は、凹部５Ａ，２Ｄによりかしめた状態で狭持される。
【００５７】
すなわち、図１０（ａ）に示した構成では、カバー５の凹部５Ａと突起２Ａの凹部２Ｄとの間に角度調整部材６を介在させることで、カバー５の凹部５Ａ側での該カバー５の開閉に伴うレンズ４の角度調整と、筐体２の凹部２Ｄ側でのレンズ４の角度調整が行える。そして、角度調整部材６は、凹部５Ａ，２Ｄによりかしめた状態で狭持されているから、レンズ４の角度を調整した状態でカバー５の位置を維持できる。
【００５８】
図１０（ｂ）に示す構成は、カバー５のレンズ４を設けた側と反対の端面中央に、その先端に球面を有した球軸５Ｄを設けて、筐体２の突起２Ａに、該球軸５Ｄの球面を受ける球受座２Ｅを形成する。球受座２Ｅは、球軸５Ｄの球面の直径の半分をやや超える部分まで嵌入できるその奥行き（深さ）とされ、該球軸５Ｄの球面の径と同等とされる。
【００５９】
球軸５Ｄの球面は、球受座２Ｅに嵌入され、嵌入された後は、該球面座２Ｅとの摩擦により容易に移動しないようになっている。このようにすれば、カバー５の開閉方向、及びカバー５の開閉方向と直交する方向、だけでなく、フレキシブルに、カバー５をレンズ４の角度調整のために移動させることができ、レンズ４の角度調整をした位置でカバー５の状態を維持させることができる。
【図面の簡単な説明】
【００６０】
【図１】本発明の転写具の第１実施例を示し、（ａ）は正面図、（ｂ）は平面図、（ｃ）は使用状態を説明するための図、である。
【図２】本発明の転写具の第２実施例を示し、（ａ）は使用状態を示す正面図、（ｂ）は平面図、である。
【図３】本発明の転写具の第２実施例における細部構成を示し、（ａ）はカバーの正面図、（ｂ）はカバーの平面図、（ｃ）は筐体についての正面図、である。
【図４】本発明の転写具の第３実施例を示し、（ａ）〜（ｄ）は使用状態を示す部分拡大図である。
【図５】本発明の転写具の第３実施例における要部構成を示し、（ａ）はカバーを閉じた状態の平面図、（ｂ）はカバーを開けた状態の平面図、である。
【図６】本発明の転写具の第４実施例の使用状況を示し、（ａ）はカバーの開閉方向、（ｂ）はカバーの開閉方向と直交する方向、にカバーを移動させた状態を示す正面図である。
【図７】本発明の転写具の第４実施例における要部構成を示し、（ａ）は筐体の斜視図、（ｂ）はカバー及び角度調整部材の斜視図、（ｃ）は角度調整部材の斜視図、である。
【図８】本発明の転写具の第５実施例を示し、（ａ）は正面図、（ｂ）はカバー及び角度調整部材の斜視図、（ｃ）は筐体の斜視図、である。
【図９】本発明の転写具の第５実施例の使用状況を示し、（ａ）はカバーを開けてレンズを使用しない状態、（ｂ）はカバー開閉方向と直交する方向にカバーを移動させた状態、（ｃ）はカバーを転写部の下面を覆うようにして閉じた状態、の正面図である。
【図１０】本発明の転写具の第６実施例を示し、（ａ）は角度調整部材により２段階に角度調整が可能な構成、（ｂ）球面と球受座によりフレキシブルに角度調整が可能な構成、を示す図である。
【符号の説明】
【００６１】
１  転写具
２  筐体
２Ａ  突起
２Ｂ  調整板
２Ｃ  係合周面
２Ｄ  凹部
２Ｅ  球受座
３  転写部
４  レンズ
５  カバー
５Ａ  凹部
５Ｂ  ピン
５Ｃ  基板
５Ｄ  球軸
６  角度調整部材
６Ａ  段付ピン
６Ｂ  ピン
６Ｄ  挿入部
６Ｅ  回動部
【図１】
2007176019.tif 000003
【図２】
2007176019.tif 000004
【図３】
2007176019.tif 000005
【図４】
2007176019.tif 000006
【図５】
2007176019.tif 000007
【図６】
2007176019.tif 000008
【図７】
2007176019.tif 000009
【図８】
2007176019.tif 000010
【図９】
2007176019.tif 000011
【図１０】
2007176019.tif 000012